(57)【要約】【課題】磁石を収容した軟質性紐状体に対して長手方向や捻り方向に応力が加わっても、磁石の収容部分から軟質性紐状体が破損することを防止できる磁気治療具およびその製造方法を提供する。【解決手段】磁石と、少なくとも前記磁石の一部分を収容する磁石ケースと、前記磁石ケースおよび前記磁石を収容し長手方向に延びる軟質性紐状体と、を有することを特徴とする。【選択図】図５
2019051198.tif 000002
【特許請求の範囲】
【請求項１】
磁石と、少なくとも前記磁石の一部分を収容する磁石ケースと、前記磁石ケースおよび前記磁石を収容し長手方向に延びる軟質性紐状体と、を有することを特徴とする磁気治療具。
【請求項２】
前記磁石ケースは、前記軟質性紐状体を構成する軟質性樹脂材料が貫通する貫通孔を備えていることを特徴とする請求項１記載の磁気治療具。
【請求項３】
前記磁石ケースは、硬質性樹脂材料から形成されていることを特徴とする請求項１または２記載の磁気治療具。
【請求項４】
請求項１ないし３いずれか一項記載の磁気治療具の製造方法であって、
前記磁石ケースを成形するための第１金型内に前記磁石を予め配置してから前記磁石ケースを構成する樹脂材料を前記第１金型内に導入して、前記磁石を収容した前記磁石ケースを成形する第１インサート成形工程と、
前記軟質性紐状体を成形するための第２金型内に前記磁石を収容した前記磁石ケースを予め配置してから前記軟質性紐状体を構成する樹脂材料を前記第２金型内に導入して、前記磁石ケースを収容した前記軟質性紐状体を成形する第２インサート成形工程と、を少なくとも備えたことを特徴とする磁気治療具の製造方法。
【発明の詳細な説明】
【技術分野】
【０００１】
本発明は、首や腕などに掛けて使用され、磁気の作用により、血行促進などの効果が期待される磁気治療具およびその製造方法に関する。
【背景技術】
【０００２】
磁石を有するネックレスやブレスレットを身に着けると、磁気の作用により、血行促進などの効果が得られることが知られている。例えば、柔軟で折り曲げ可能な軟質性紐状体と、その軟質性紐状体の内部に収容された磁石と、その軟質性紐状体の両端に備えられた連結具とを有する磁気治療具が知られている。
【０００３】
特許文献１には、シリコーンゴムに複数の磁石を収容した可撓性を有する長尺な磁性部（軟質性紐状体）を備えた磁気治療具が開示されている。この特許文献１には、磁気治療具の製造方法として、磁性部に対応する上型と下型とを備えた金型を用い、金型の磁性部に対応する部分にシリコーンゴムをセットし、そのセットしたシリコーンゴムに磁性体を配置した後、プレス成型する方法が開示されている。
【先行技術文献】
【特許文献】
【０００４】
【特許文献１】特開２００９−１８０６０号公報
【発明の概要】
【発明が解決しようとする課題】
【０００５】
しかしながら、特許文献１に記載された従来の磁気治療具は、磁性体を直接、シリコーンゴムで被覆する構成であるため、磁性体が配置された部分のシリコーンゴムの厚みが、磁性体が配置されていない部分のシリコーンゴムの厚みよりも大幅に薄くなる。このため、例えば、シリコーンゴムが長手方向に引き延ばされるように応力が加わった場合や、シリコーンゴムが捻じれるように応力が加わった場合などにおいて、磁性体が配置されたシリコーンゴムの厚みが薄い部分に応力が集中し、この部分からシリコーンゴムが裂ける虞があった。
【０００６】
本発明は、前述した状況に鑑みてなされたものであって、磁石を収容した軟質性紐状体に対して長手方向や捻り方向に応力が加わっても、磁石の収容部分から軟質性紐状体が破損することを防止できる磁気治療具およびその製造方法を提供する。
【課題を解決するための手段】
【０００７】
上記課題を解決するために、本発明の磁気治療具は、磁石と、少なくとも前記磁石の一部分を収容する磁石ケースと、前記磁石ケースおよび前記磁石を収容し長手方向に延びる軟質性紐状体と、を有することを特徴とする。
【０００８】
また、本発明では、前記磁石ケースは、前記軟質性紐状体を構成する軟質性樹脂材料が貫通する貫通孔を備えていることが好ましい。
【０００９】
また、本発明では、前記磁石ケースは、硬質性樹脂材料から形成されていることが好ましい。
【００１０】
本発明の磁気治療具の製造方法は、前記各項記載の磁気治療具の製造方法であって、前記磁石ケースを成形するための第１金型内に前記磁石を予め配置してから前記磁石ケースを構成する樹脂材料を前記第１金型内に導入して、前記磁石を収容した前記磁石ケースを成形する第１インサート成形工程と、前記軟質性紐状体を成形するための第２金型内に前記磁石を収容した前記磁石ケースを予め配置してから前記軟質性紐状体を構成する樹脂材料を前記第２金型内に導入して、前記磁石ケースを収容した前記軟質性紐状体を成形する第２インサート成形工程と、を少なくとも備えたことを特徴とする。
【発明の効果】
【００１１】
本発明によれば、磁石を収容した軟質性紐状体に対して長手方向や捻り方向に応力が加わっても、磁石の収容部分から軟質性紐状体が破損することを防止できる磁気治療具およびその製造方法を提供することが可能になる。
【図面の簡単な説明】
【００１２】
【図１】本発明の第１実施形態にかかる磁気治療具（係着状態）を示す外観斜視図である。
【図２】本発明の第１実施形態にかかる磁気治療具（開放状態）を示す正面図である。
【図３】図２の要部拡大断面図である。
【図４】本発明の第２実施形態にかかる磁気治療具の要部拡大断面図である。
【図５】異方性磁石の作用を説明する説明図である。
【図６】本発明の磁気治療具の製造方法を段階的に示した要部拡大断面図である。
【図７】本発明の磁気治療具の製造方法を段階的に示した要部拡大断面図である。
【発明を実施するための形態】
【００１３】
以下、図面を参照して、本発明の一実施形態の磁気治療具およびその製造方法について説明する。なお、以下に示す各実施形態は、発明の趣旨をより良く理解させるために具体的に説明するものであり、特に指定のない限り、本発明を限定するものではない。また、以下の説明で用いる図面は、本発明の特徴をわかりやすくするために、便宜上、要部となる部分を拡大して示している場合があり、各構成要素の寸法比率などが実際と同じであるとは限らない。
【００１４】
「磁気治療具：第１実施形態」
図１は、本発明の第１実施形態にかかる磁気治療具（係着状態）を示す外観斜視図である。図２は、本発明の第１実施形態にかかる磁気治療具（開放状態）を示す正面図である。
本実施形態の磁気治療具１は、軟質性紐状体１０と、軟質性紐状体１０の内部に収容されている磁石２０とを有する。磁気治療具１は、軟質性紐状体１０の一端側および他端側にそれぞれ形成され、前記軟質性紐状体の端部どうしを脱着可能に接続するクラスプ部３０を有している。
【００１５】
クラスプ部３０は、軟質性紐状体１０の一端側に形成された第１クラスプ部３０Ａと、軟質性紐状体１０の他端側に形成された第２クラスプ部３０Ｂと、から構成されている。これら第１クラスプ部３０Ａおよび第２クラスプ部３０Ｂを互いに係着することによって、図１に示すようにリングを形成する。リングを形成している磁気治療具１は、例えば、磁気ネックレス、磁気ブレスレットとして使用される。
【００１６】
軟質性紐状体１０の断面形状は本実施形態では円形であるが、折り曲げ可能であれば、その断面形状に、特に制限はなく、例えば、楕円形、多角形としてもよい。軟質性紐状体１０の直径は、特に限定されないが、例えば、０．３ｃｍ以上２ｃｍ以下の範囲である。また、軟質性紐状体１０の長さ方向の長さは、特に限定されないが、例えば、ネックレスとして使用されるものは、３０ｃｍ以上７０ｃｍ以下の範囲であり、ブレスレットとして使用されるものは、１０ｃｍ以上３０ｃｍ以下の範囲である。
【００１７】
図３（ａ）は、本実施形態の磁気治療具における直方体の磁石の一面に沿った要部拡大断面図である。図３（ｂ）は、図３（ａ）のＡ−Ａ’線に沿った要部拡大断面図である。図３（ｃ）は、図３（ａ）のＢ−Ｂ’線に沿った要部拡大断面図である。
本実施形態の軟質性紐状体１０は、長手方向に延びた第１紐状部材１１と第２紐状部材１５とを接合した接合体である。第１紐状部材１１および第２紐状部材１５は、軟質樹脂から形成されていることが好ましい。第１紐状部材１１および第２紐状部材１５を構成する軟質樹脂は、例えば、−６０℃以上１５０℃以下の温度範囲で折り曲げ可能な弾性体であることが好ましい。
【００１８】
第１紐状部材１１および第２紐状部材１５を構成する軟質樹脂としては、ゴムおよびエラストマーを用いることができる。ゴムの例としては、シリコーンゴム、ウレタンゴム、ブタジエンゴム、イソプレンゴム、アクリルゴム、クロロプレンゴム、フッ素ゴムが挙げられる。エラストマーの例としては、スチレン系エラストマー、オレフィン系エラストマー、塩化ビニル系エラストマー、ウレタン系エラストマー、アミド系エラストマーが挙げられる。第１紐状部材１１および第２紐状部材１５は、それぞれ異なる軟質樹脂から形成されていてもよいが、接合強度の観点から同一種の軟質樹脂から形成されていることが好ましい。本実施形態では、第１紐状部材１１と第２紐状部材１５ともにシリコーンゴムを用いている。
【００１９】
なお、軟質性紐状体１０は、一端側と他端側を除いた領域と磁石２０を保持した磁石ケース２２の貫通孔２２ｂの領域は第１紐状部材１１だけで形成されている。
【００２０】
また、本実施形態では、軟質性紐状体１０を第１紐状部材１１と第２紐状部材１５とを接合したものから構成しているが、これ以外にも、軟質性紐状体１０全体を単一の軟質樹脂で構成することもできる。
【００２１】
軟質性紐状体１０の第１紐状部材１１と第２紐状部材１５との接合部分、即ち、図３（ｂ）における軟質性紐状体１０の断面中心付近には、磁石ケース２２が収容されている。磁石ケース２２は、例えば、硬質性樹脂材料から形成されていることが好ましい。硬質性樹脂材料としては、例えば、耐熱ナイロン樹脂、ポリフェニレンサルファイド（ＰＰＳ）樹脂などが好ましく挙げられる。
【００２２】
磁石ケース２２には、内部に磁石２０の一部と接してこの磁石２０を収容する磁石収容部２２ａが形成されている。こうした磁石収容部２２ａは、例えば直方体形状（板状）を成す磁石２０の一面と他面及び厚み方向に沿った４つの側面のそれぞれ一部に接して、磁石２０を支持（収容）する。
【００２３】
また、磁石ケース２２には、軟質性紐状体１０を構成する軟質性樹脂材料が貫通する貫通孔２２ｂ，２２ｂが形成されている。この貫通孔２２ｂ，２２ｂは、本実施形態では第１紐状部材１１が貫通孔２２ｂ，２２ｂの中央付近まで進入している。これにより軟質性紐状体１０を例えば長手方向に引き延ばすような応力が加わった場合でも、磁石ケース２２の周りの樹脂の伸びを小さくすることができ、当該部分の裂開を防止することができる。
【００２４】
磁石２０は、本実施形態では等方性磁石を用いている。本実施形態の磁石２０は、例えば直方体板状に形成されている。磁石２０の角および辺は、面取りまたはＲ加工されていることが好ましい。これによって、例えば、軟質性紐状体１０が過剰に折り曲げられたとき、あるいは軟質性紐状体１０に過度に圧力が負荷されたときでも磁石２０に微細な割れや欠けが生じにくくなる。なお、本実施形態では、磁石２０の形状を直方体板状としているが、これ以外にも、立方体状、円柱状、球状など、各種形状の磁石を用いることができ、磁石の形状が限定されるものではない。
【００２５】
磁石２０の材料（等方性磁石材）としては、希土類磁石・フェライト磁石・ラバー磁石など磁気治療具用の磁石として通常、使用されているものを利用することができる。本実施形態では、磁石２０として、希土類を用いている。
【００２６】
以上のような構成の本発明の磁気治療具１によれば、磁石２０を軟質性紐状体１０に収容する際に、予め磁石２０を樹脂、例えば硬質性樹脂で形成された磁石ケース２２に支持された状態で軟質性紐状体１０に収容することにより、軟質性紐状体１０を成す軟質性樹脂と、磁石ケース２２を成す樹脂、例えば硬質性樹脂とが接する。このような樹脂どうしが接することによって、軟質性紐状体１０が磁石ケース２２に密着する。
【００２７】
これによって、軟質性紐状体１０に対して直接、磁石を収容する場合と比較して、磁石ケース２２の収容によって軟質性紐状体１０の厚みが薄くなった部分に、例えば長手方向に引き伸ばすような応力や捻るような応力が加わっても、同質系の材料どうしによる軟質性紐状体１０と磁石ケース２２との密着によって、厚みが薄くなった部分が裂開してしまうなど軟質性紐状体１０の破損を防止することが可能になる。
【００２８】
さらに磁石ケース２２の貫通孔２２ｂに軟質性紐状体１０を構成する軟質性樹脂材料が侵入して当該貫通孔２２ｂと軟質性樹脂材料が係合していることにより、例えば長手方向に引き延ばすような応力が加わった場合でも、磁石ケース２２の周りの樹脂の伸びを小さくすることができ、当該部分の裂開を防止することができる。
【００２９】
「磁気治療具：第２実施形態」
【００３０】
図４（ａ）は、本実施形態の磁気治療具における直方体の磁石の一面に沿った要部拡大断面図である。図４（ｂ）は、図４（ａ）のＣ−Ｃ’線に沿った要部拡大断面図である。図４（ｃ）は、図４（ａ）のＤ−Ｄ’線に沿った要部拡大断面図である。なお、上述した第１実施形態と同様の構成には同一の番号を付し、詳細な説明は省略する。
本実施形態の磁気治療具２における軟質性紐状体１０は、長手方向に延びた第１紐状部材１１と第２紐状部材１５とを接合した接合体であり、例えば、軟質樹脂から形成されている。
【００３１】
軟質性紐状体１０の第１紐状部材１１と第２紐状部材１５との接合部分、即ち、図４（ｂ）における軟質性紐状体１０の断面中心付近には、異方性磁石（磁石）２６ａと異方性磁石（磁石）２６ｂとを互いに近接して支持する磁石ケース２７が収容されている。磁石ケース２７は、例えば、硬質性樹脂材料から形成されていることが好ましい。
【００３２】
磁石ケース２７には、内部に異方性磁石２６ａ，２６ｂの一部と接してこの異方性磁石２６ａ，２６ｂをそれぞれ収容する２つの磁石収容部２７ａ，２７ａが形成されている。こうした磁石収容部２７ａ，２７ａは、例えば直方体形状（板状）を成す異方性磁石２６ａ，２６ｂの一面と他面及び厚み方向に沿った４つの側面のそれぞれ一部に接して、異方性磁石２６ａ，２６ｂを支持（収容）する。
【００３３】
また、磁石ケース２７には、軟質性紐状体１０を構成する軟質性樹脂材料が貫通する貫通孔２７ｂ，２７ｂが形成されている。この貫通孔２７ｂ，２７ｂは、本実施形態では第１紐状部材１１が貫通孔２７ｂ，２７ｂに進入している。
【００３４】
磁石ケース２７に支持される磁石として、本実施形態では、２個１組の異方性磁石（磁石）２６ａ，２６ｂを用いている。本実施形態の異方性磁石２６ａ，２６ｂは、例えば直方体板状に形成されている。異方性磁石２６ａ，２６ｂの角および辺は、面取りまたはＲ加工されていることが好ましい。
【００３５】
異方性磁石２６ａ，２６ｂの材料（異方性磁石材）としては、希土類磁石・異方性フェライト磁石・異方性ラバー磁石など磁気治療具用の磁石として通常、使用されているものを利用することができる。本実施形態では、異方性磁石２６ａ，２６ｂとして、                  希土類を用いている。
【００３６】
本実施形態においては、２つの異方性磁石２６ａ，２６ｂで一つの強磁力発生部２８（図５参照）を構成している。強磁力発生部２１は、単独の異方性磁石と比較して、遠く離れた位置に磁気を届けることが可能な強い磁力を発生させる。この理由を、図５を参照しながら説明する。
【００３７】
図５（ａ）は、異方性磁石２６を単独で配置したときの異方性磁石２６の周りに分布する磁束線の状態を表す概念図である。図５（ａ）において波線で表されるように、異方性磁石２６を単独で配置した場合、近くに他の磁石が配置されていないため、異方性磁石２６の周辺は、異方性磁石２６のＮ極から磁束が出て、同じ異方性磁石２６のＳ極に戻り、異方性磁石２６から近い領域に磁束が集中する磁気回路が形成される。そのため、異方性磁石２６の磁束は、異方性磁石２６から遠くへ及ばない。
【００３８】
図５（ｂ）は、異なる磁極が同じ側を向く２つの異方性磁石２６ａ，２６ｂを、互いに隣接するように配置したときの異方性磁石２６ａ，２６ｂの周りに分布する磁束線の状態を表す概念図である。図５（ｂ）において波線で表されるように、異なる磁極が同じ側を向く２つの異方性磁石２６ａ，２６ｂを、互いに隣接するように配置した場合、一方の異方性磁石のＮ極と他方の異方性磁石のＳ極とが接近して配置されているため、異方性磁石２６ａ，２６ｂのＮ極から出た磁束は、近接する他の異方性磁石のＳ極か、又は同じ異方性磁石のＳ極へ戻る。従って、異方性磁石２６ａ，２６ｂから近い領域に磁束が集中する磁気回路が形成される。そのため、異方性磁石２６ａ，２６ｂの磁束は、異方性磁石２６ａ，２６ｂから遠くへ及ばない。
【００３９】
図５（ｃ）は、同じ磁極が同じ側を向く２つの異方性磁石２６ａ，２６ｂを、互いに隣接するすように配置したときの異方性磁石２６ａ，２６ｂの周りに分布する磁束線の状態を表す概念図である。図５（ｃ）において波線で表されるように、同じ磁極が同じ側を向く２つの異方性磁石２６ａ，２６ｂを、互いに隣接するすように配置した場合、一方の異方性磁石のＮ極（又はＳ極）と他方の異方性磁石のＮ極（又はＳ極）とが接近して配置されているため、異方性磁石２６ａ，２６ｂのＮ極から出た磁束は、近接する他の異方性磁石のＮ極の影響により、異方性磁石に近接する領域を通過してＳ極へ戻ることが阻害される。従って、異方性磁石２６ａ，２６ｂから遠い領域に磁束が集中する磁気回路が形成される。そのため、異方性磁石２６ａ，２６ｂ（強磁力発生部２８）から遠く離れた位置に磁気を届けることができる。
【００４０】
本実施形態では、１つの強磁力発生部２８を構成する２つの異方性磁石２６ａ，２６ｂを揃えて（平行）に並べる必要がある。着磁の際、磁界をかける方向と磁石材の向きが揃っていないと規定の磁界を得られない場合がある。しかしながら、本実施形態では、異方性磁石２６ａ、２６ｂを磁石ケース２７に収容することにより、当該異方性磁石２６ａ、２６ｂの向きを揃えることができる。
【００４１】
以上のような構成の本発明の磁気治療具２によれば、異方性磁石（磁石）２６ａ，２６ｂを軟質性紐状体１０に収容する際に、予め異方性磁石２６ａ，２６ｂを樹脂、例えば硬質性樹脂で形成された磁石ケース２７に支持された状態で軟質性紐状体１０に収容することにより、磁石の向きを揃えることができる。また、軟質性紐状体１０を成す軟質性樹脂と、磁石ケース２７を成す樹脂、例えば硬質性樹脂とが接する。このような樹脂どうしが接することによって、軟質性紐状体１０が磁石ケース２７に密着する。
【００４２】
これによって、軟質性紐状体１０に対して直接、磁石を収容する場合と比較して、磁石ケース２７の収容によって軟質性紐状体１０の厚みが薄くなった部分に、例えば長手方向に引き伸ばすような応力や捻るような応力が加わっても、同質系の材料どうしによる軟質性紐状体１０と磁石ケース２７との密着によって、厚みが薄くなった部分が裂開してしまうなど軟質性紐状体１０の破損を防止することが可能になる。
【００４３】
さらに磁石ケース２７の貫通孔２７ｂに軟質性紐状体１０を構成する軟質性樹脂材料が侵入して当該貫通孔２７ｂと軟質性樹脂材料が係合していることにより、例えば長手方向に引き延ばすような応力が加わった場合でも、磁石ケース２７の周りの樹脂の伸びを小さくすることができ、当該部分の裂開を防止することができる。
【００４４】
「磁気治療具の製造方法」
次に、本発明の磁気治療具の製造方法の要部について説明する。
図６、図７は、本発明の一実施形態の磁気治療具の製造方法を段階的に示す断面図である。
本発明の磁気治療具の製造方法によって、図１〜３に示す第１実施形態の磁気治療具１を製造する際には、まず、磁石２０を支持した磁石ケース２２を製造する。内側に磁石ケース２２の形状を備えた磁石ケース成形金型（第１金型）１０１を構成する上金型１０１ａと下金型１０１ｂとの間に、インサート成形のインサート部材となる磁石２０を配置する（図６（ａ）参照）。そして、この磁石ケース成形金型（第１金型）１０１内に磁石ケース２２を構成する構成材料、例えば硬質性樹脂の溶融体Ｑ１を導入する（第１インサート成形工程）。これによって、磁石２０を支持した磁石ケース２２が得られる（図６（ｂ）参照）。
【００４５】
次に、内側に第１紐状部材１１の形状を備えた第１紐状部材成形金型（第２金型）１０２を構成する上金型１０２ａと下金型１０２ｂとの間に、第１インサート成形工程で得られた磁石２０を支持した磁石ケース２２と第１紐状部材１１を構成する構成材料（樹脂材料）、例えば未硬化のシリコーンゴムＱ２を配置して成形する。（第２インサート成形工程前段：図６（ｃ）参照）。これによって、軟質性紐状体１０を構成する第１紐状部材１１に磁石ケース２２が支持された中間成型体４０が得られる（図７（ａ）参照）。
【００４６】
次に、内側に第２紐状部材１２の形状を備えた第２紐状部材成形金型（第２金型）１０３を構成する上金型１０３ａと下金型１０３ｂとの間に、第２インサート成形工程前段で得られた中間成型体４０を配置する（図７（ｂ）参照）。そして、この第２紐状部材成形金型（第２金型）１０３内に第２紐状部材１５を構成する構成材料（樹脂材料）、例えば未硬化のシリコーンゴムＱ３を配置して成形する（第２インサート成形工程後段）。これによって、軟質性紐状体１０を成す第１紐状部材１１と第２紐状部材１５の内部に磁石２０を支持した磁石ケース２２が収容された磁気治療具１が得られる（図７（ｃ）参照）。
【００４７】
なお、本実施形態では、軟質性紐状体１０を第１紐状部材１１と第２紐状部材１５とから構成した例を示しているが、軟質性紐状体１０全体を単一の軟質樹脂で構成する場合には、第１インサート成形工程で得られた磁石２０を支持した磁石ケース２２を、内部に軟質性紐状体１０の形状を備えた軟質性紐状体成形金型（第２金型）に配置して第２インサート成形工程を行えばよい。
また上述の実施形態では、磁石ケース２２に磁石２０、２６ａ、２６ｂの一部分を収容した場合について述べたが、磁石ケースに磁石全体を収容するようにしても良い。
【００４８】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４９】
１…磁気治療具
１０…軟質性紐状体
１１…第１紐状部材
１５…第２紐状部材
２０…等方性磁石（磁石）
２６ａ、２６ｂ…異方性磁石（磁石）
２２…磁石ケース
２２ｂ，２２ｂ…貫通孔
【図１】
2019051198.tif 000003
【図２】
2019051198.tif 000004
【図３】
2019051198.tif 000005
【図４】
2019051198.tif 000006
【図５】
2019051198.tif 000007
【図６】
2019051198.tif 000008
【図７】
2019051198.tif 000009